(57)【要約】【課題】ＩＣタグの無線性能への影響を従来より低減させることが可能であると共に、ＩＣタグを容易に装着することが可能なＩＣタグホルダの提供を目的とする。【解決手段】本発明のＩＣタグホルダ１０では、ＩＣタグ９０をタグ収容枠１１に挿入する際に、可撓アーム２０がＩＣタグ９０を案内するので、ＩＣタグ９０の装着作業を容易に行うことができる。また、ＩＣタグホルダ１０にＩＣタグ９０が保持されると、ＩＣタグ９０の前面においては、長辺側タグ係止壁１３及び短辺側タグ係止壁１４がＩＣタグ９０の縁部のみに当接する一方、ＩＣタグ９０の後面においては、可撓アーム２０の頂点部２０ＣがＩＣタグ９０に部分的に当接した状態になるので、従来よりＩＣタグ９０への密着部分を減らすことができ、無線性能への影響を従来より低減させることが可能になる。【選択図】図３
2008287301.tif 000002
【特許請求の範囲】
【請求項１】
カード形のＩＣタグを四方から囲むと共に前記ＩＣタグの前面及び後面を前後方向で露出した状態にして収容可能なタグ収容枠と、
前記タグ収容枠の対向辺間に差し渡された連絡壁、又は、前記タグ収容枠から内側に張り出して前記ＩＣタグの縁部のみに対向するタグ係止壁の何れか又はそれらの両方で構成されて、前記タグ収容枠内で前記ＩＣタグの前記前後方向への移動を規制する複数のタグ前後保持部材と、
前記ＩＣタグにて管理される管理対象物に前記タグ収容枠を取り付けるための取付部と、
前記タグ収容枠の一辺に貫通形成され、前記ＩＣタグを前記タグ収容枠の側方から前記タグ収容枠内に挿入可能とするためのタグ挿入孔と、
前記タグ収容枠のうち前記ＩＣタグより後方位置で前記タグ収容枠又は前記タグ前後保持部材に一体形成され、前記ＩＣタグの挿入方向に延びかつ先端に向かうに従って前側に迫り出し、前記ＩＣタグに押し付けられて弾性変形する可撓アームと、
前記可撓アームに形成されて、前記タグ挿入孔から挿入された前記ＩＣタグの先端部を、前記可撓アームとそれより前側の前記タグ前後保持部材と間に案内するタグ案内部とを備えたことを特徴とするＩＣタグホルダ。
【請求項２】
前記タグ収容枠の両端部に１対の前記連絡壁を形成し、それら１対の連絡壁から互いに接近する方向に向けて前記可撓アームを延ばしたことを特徴とする請求項１に記載のＩＣタグホルダ。
【請求項３】
前記可撓アームは、前記ＩＣタグの挿入方向に平行に延びた１対の梁部材と、それら１対の梁部材の先端部の間を連絡する先端連絡部材とからなることを特徴とする請求項１又は２に記載のＩＣタグホルダ。
【請求項４】
前記可撓アームは、先端寄り位置で後方に屈曲して全体が略山形状とされ、その中腹部を前記タグ案内部としたことを特徴とする請求項１乃至３の何れかに記載のＩＣタグホルダ。
【発明の詳細な説明】
【技術分野】
【０００１】
本発明は、カード形のＩＣタグを保持しかつ、そのＩＣタグにて管理される管理対象物に取り付け可能なＩＣタグホルダに関する。
【背景技術】
【０００２】
従来のこの種のＩＣタグホルダとして、図１０に示すように四角形に陥没したカード収容凹部２の開口縁に複数の係止突起３を備えた構造のものが知られている。このものでは、ＩＣタグ４の４辺をカード収容凹部２の奥壁２Ａと係止突起３との間に挟んだ状態にして、ＩＣタグ４がＩＣタグホルダに保持されていた（例えば、特許文献１参照）。
【特許文献１】特開平９−２５４９８３号公報（段落［００１８］〜［００２０］、第３図）
【発明の開示】
【発明が解決しようとする課題】
【０００３】
しかしながら、上記した従来のＩＣタグホルダは、カード収容凹部２の奥壁２Ａのうち一部の孔等を除いた全体がＩＣタグ４の後面全体に密着する構成であったため、ＩＣタグ４の無線性能が低下する事態が生じ得た。また、ＩＣタグ４をカード収容凹部２内に装着する作業が困難であった。
【０００４】
本発明は、上記事情に鑑みてなされたもので、ＩＣタグの無線性能への影響を従来より低減させることが可能であると共に、ＩＣタグを容易に装着することが可能なＩＣタグホルダの提供を目的とする。
【課題を解決するための手段】
【０００５】
上記目的を達成するためになされた請求項１の発明に係るＩＣタグホルダは、カード形のＩＣタグを四方から囲むと共にＩＣタグの前面及び後面を前後方向で露出した状態にして収容可能なタグ収容枠と、タグ収容枠の対向辺間に差し渡された連絡壁、又は、タグ収容枠から内側に張り出してＩＣタグの縁部のみに対向するタグ係止壁の何れか又はそれらの両方で構成されて、タグ収容枠内でＩＣタグの前後方向への移動を規制する複数のタグ前後保持部材と、ＩＣタグにて管理される管理対象物にタグ収容枠を取り付けるための取付部と、タグ収容枠の一辺に貫通形成され、ＩＣタグをタグ収容枠の側方からタグ収容枠内に挿入可能とするためのタグ挿入孔と、タグ収容枠のうちＩＣタグより後方位置でタグ収容枠又はタグ前後保持部材に一体形成され、ＩＣタグの挿入方向に延びかつ先端に向かうに従って前側に迫り出し、ＩＣタグに押し付けられて弾性変形する可撓アームと、可撓アームに形成されて、タグ挿入孔から挿入されたＩＣタグの先端部を、可撓アームとそれより前側のタグ前後保持部材と間に案内するタグ案内部とを備えたところに特徴を有する。
【０００６】
請求項２の発明は、請求項１に記載のＩＣタグホルダにおいて、タグ収容枠の両端部に１対の連絡壁を形成し、それら１対の連絡壁から互いに接近する方向に向けて可撓アームを延ばしたところに特徴を有する。
【０００７】
請求項３の発明は、請求項１又は２に記載のＩＣタグホルダにおいて、可撓アームは、ＩＣタグの挿入方向に平行に延びた１対の梁部材と、それら１対の梁部材の先端部の間を連絡する先端連絡部材とからなるところに特徴を有する。
【０００８】
請求項４の発明は、請求項１乃至３の何れかに記載のＩＣタグホルダにおいて、可撓アームは、先端寄り位置で後方に屈曲して全体が略山形状とされ、その中腹部をタグ案内部としたところに特徴を有する。
【発明の効果】
【０００９】
［請求項１の発明］
請求項１の構成によれば、ＩＣタグがタグ収容枠内に収容されると、そのタグ収容枠の対向辺間に差し渡された連絡壁、又は、タグ収容枠から内側に張り出してＩＣタグの縁部のみに対向するタグ係止壁の何れか又はそれらの両方で構成されたタグ前後保持部材がＩＣタグの前面に部分的に当接する一方、可撓アームがＩＣタグの後面に部分的に当接してタグ収容枠内でＩＣタグを保持するので、従来のＩＣタグホルダのようにＩＣタグの後面全体に密着するものに比べて、ＩＣタグへの密着部分を減らすことができ、無線性能への影響を従来より低減させることが可能になる。また、可撓アームの弾発力によってＩＣタグをタグ収容枠における前側のタグ前後保持部材に押し付けているので、ガタ防止が図られる。しかも、タグ挿入スリットを通してタグ収容枠内にＩＣタグを収容する際には、そのＩＣタグの先端部が可撓アームのタグ案内部に摺接して、可撓アームとそれより前側のタグ前後保持部材と間に案内されるので、ＩＣタグをＩＣタグホルダに容易に装着することができる。
【００１０】
［請求項２の発明］
請求項２の構成によれば、可撓アームが連絡壁から延びているので、可撓アームの曲げ変形のみならず、連絡壁の捻れ変形によっても可撓アームにおけるＩＣタグとの当接部分の位置をタグ収容枠の前後方向で変化させることができる。これにより、可撓アームにおけるＩＣタグとの当接部分の可動範囲を大きくすることができ、比較的薄いＩＣタグから比較的厚いＩＣタグまで対応することができる。
【００１１】
［請求項３の発明］
請求項３の構成では、可撓アームが、ＩＣタグの挿入方向と平行に延びた１対の梁部材とそれらの先端部間を連絡する先端連絡部材とからなるので、ＩＣタグのうち可撓アームとの当接部分をＩＣタグの挿入方向と直交する方向で分散させることができ、タグ収容枠内におけるＩＣタグの保持が安定する。
【００１２】
［請求項４の発明］
請求項４の構成によれば、略山形状の可撓アームにおける中腹部にＩＣタグの先端部が摺接して案内されるので、スムーズにＩＣタグをタグ収容枠に挿入することができる。
【発明を実施するための最良の形態】
【００１３】
［第１実施形態］
以下、本発明の一実施形態を図１〜図７に基づいて説明する。本実施形態のＩＣタグ９０は、図１に示されており、ＲＦＩＤ（Ｒａｄｉｏ  Ｆｒｅｑｕｅｎｃｙ  Ｉｄｅｎｔｉｆｉｃａｔｉｏｎ）とも呼ばれ、情報と共に電力を無線で受け、それに対して情報を無線返信する。その無線の周波数帯域は、例えば、８６０〜９６０［Ｍｈｚ］のＵＨＦ帯域が使用されている。また、このＩＣタグ９０は、可撓性に富んだ四角形のフィルム回路基盤９１に、例えば、コイルアンテナ９２とＩＣチップ９３と実装して樹脂フィルム９４でラミネートしてなり、全体が横長のカード形状になっている。
【００１４】
本実施形態のＩＣタグホルダ１０は、ＩＣタグ９０を四方から囲むことが可能な横長のタグ収容枠１１を備えている。タグ収容枠１１は、均一幅の帯状板を長方形に屈曲させた形状になっており、タグ収容枠１１の厚さｗ１（即ち、前記帯状板の幅）は、ＩＣタグホルダ１０の板厚ｔ１に比べて十分に大きくなっている。以下、ＩＣタグ９０及びタグ収容枠１１において、長手方向でもある横方向を「横方向Ｘ」、短手方向でもある縦方向を「縦方向Ｙ」、厚さ方向でもある前後方向を「前後方向Ｚ」と呼ぶこととする。
【００１５】
タグ収容枠１１のうち一方の短辺を構成する短辺構成壁１１Ｓには、本発明に係るタグ挿入スリット１２が形成されている。タグ挿入スリット１２は、短辺構成壁１１Ｓにおける縦方向Ｙの略全体に亘って延び、タグ収容枠１１の内外に貫通している。また、図４に示すように、タグ挿入スリット１２のうちタグ収容枠１１の前後方向Ｚで対向した内面は、タグ収容枠１１の横方向Ｘと平行になっている。そして、このタグ挿入スリット１２を通してＩＣタグ９０をタグ収容枠１１の側方から内部に挿入することができる（図２参照）。
【００１６】
図３（Ｂ）に示すように、１対の短辺構成壁１１Ｓ，１１Ｓの後面には、１対の係止爪１６，１６（本発明の「取付部」に相当する）が突出形成されている。各係止爪１６は、短辺構成壁１１Ｓの後面から後方に突出した突片の先端側面に係止突部１７を突出形成してなる。また、係止突部１７は、後方側を向いた傾斜面と、前側を向いた係止面とを有した矢尻形状になっている。
【００１７】
タグ収容枠１１の内面における前端縁には、図３（Ａ）に示した１対の長辺側タグ係止壁１３，１３（本発明の「タグ前後保持部材」に相当する）と図４に示した１対の短辺側タグ係止壁１４，１４（本発明の「タグ前後保持部材」に相当する）とが突出形成されている。図３（Ａ）に示すように、各長辺側タグ係止壁１３は、タグ収容枠１１のうち各長辺を構成する長辺構成壁１１Ｌにおいて、一端寄り位置から他端寄り位置に亘って延び、ＩＣタグ９０の縁部のみに対向するようになっている。また、長辺側タグ係止壁１３の両端部は、長辺構成壁１１Ｌの内面に対して、例えば略４５度の角度で傾斜している。そして、それら斜辺に沿って長辺側タグ係止壁１３の後面側には図４に示した端部面取斜面１３Ａ，１３Ａが形成されている。一方、各短辺側タグ係止壁１４は、図１に示すように、タグ収容枠１１のうち各短辺構成壁１１Ｓにおける長手方向の全体に亘って延び、両端部が長辺構成壁１１Ｌ，１１Ｌに接続されている。
【００１８】
タグ収容枠１１の内面における後端縁には、図３（Ｂ）に示した１対の連絡壁１５，１５（本発明の「タグ前後保持部材」に相当する）が形成されている。連絡壁１５，１５は、タグ収容枠１１のうち１対の長辺構成壁１１Ｌ，１１Ｌにおける長手方向（横方向Ｘ）の両端寄り位置に配置され、それら長辺構成壁１１Ｌ，１１Ｌの内面における後端縁間を連絡している。また、各連絡壁１５は、帯板状をなし、その板厚方向は長辺構成壁１１Ｌの長手方向を向いている。さらに、図４に示すように、連絡壁１５の前面（図４の符号１５Ｆ）は、タグ挿入スリット１２の内面のうち後側の内面（図４の符号１２Ｂ）と、タグ収容枠１１の前後方向Ｚで略同一位置に配置されている。
【００１９】
図１に示すように、両連絡壁１５，１５の互いの対向面からは、本発明に係る可撓アーム２０，２０が互いに接近するように延びている。各可撓アーム２０は、タグ収容枠１１の横方向Ｘ（即ち、ＩＣタグ９０の挿入方向）と平行に延びた１対の梁部材２１，２１と、それら１対の梁部材２１，２１の先端部の間を連絡する先端連絡部材２２とからなる。
【００２０】
また、図４に示すように、各可撓アーム２０は、先端に向かうに従って前側（図４における下側）に迫り出しかつ、先端寄り位置で後側に屈曲して、全体が略山形状になっている。その略山形状になった頂点部２０Ｃは、タグ収容枠１１の前後方向Ｚにおいて、長辺側タグ係止壁１３における両端寄り位置に対向配置され、それら頂点部２０Ｃと長辺側タグ係止壁１３との間隔は、ＩＣタグ９０の板厚ｔ１（図１参照）より小さくなっている。これにより、ＩＣタグ９０が可撓アーム２０と長辺側タグ係止壁１３との間に収容されると可撓アーム２０が若干弾性変形し、その弾発力によってＩＣタグ９０が長辺側タグ係止壁１３に押し付けられる。さらに、可撓アーム２０のうちタグ収容枠１１の前側を向いた面は連絡壁１５の前面（図４の符号１５Ｆ）から連続して斜め前方に立ち上がっており、これによりタグ挿入スリット１２から挿入されたＩＣタグ９０が一方の可撓アーム２０における基端側の中腹部２０Ａにスムーズに乗り上がるようになっている。
【００２１】
なお、上記した一方の可撓アーム２０（図４の右側の可撓アーム２０）における基端側の中腹部２０Ａと、後述する他方の可撓アーム２０（図４の左側の可撓アーム２０）における先端側の中腹部２０Ｂとが、本発明における「タグ案内部」に相当する。
【００２２】
本実施形態の構成に関する説明は以上である。次に、本実施形態の作用効果について説明する。ＩＣタグ９０にて管理される管理対象物の一例として図６に示したパレット８０が挙げられる。このパレット８０には、例えば１対のフォーク挿入孔８２，８２の間の外側面に、ＩＣタグホルダ１０を固定するためのホルダ固定凹部８１が陥没形成されている。ホルダ固定凹部８１は、例えば、１対のフォーク挿入孔８２，８２の間を連絡する溝構造になっている。また、ホルダ固定凹部８１の長手方向における両端部には、底面から係止壁８４，８４が突出しており、それら各係止壁８４に係止孔８３が貫通形成されている。
【００２３】
本実施形態のＩＣタグホルダ１０をパレット８０に取り付けるには、ホルダ固定凹部８１における１対の係止壁８４，８４の内側に、係止爪１６，１６を押し込む。すると、各係止爪１６の弾性変形を乗り越えて、図７（Ａ）に示すように、各係止爪１６の係止突部１７が係止孔８３内に係止してＩＣタグホルダ１０がパレット８０に固定される。
【００２４】
パレット８０に固定されたＩＣタグホルダ１０にＩＣタグ９０を装着するには、例えば、フォーク挿入孔８２側からＩＣタグ９０をタグ挿入スリット１２に挿入する。ここで、タグ挿入スリット１２の奥部には、図５に示すように可撓アーム２０の中腹部２０Ａが臨んでいるので、ＩＣタグ９０をＩＣタグホルダ１０の横方向Ｘと平行にして挿入すれば、ＩＣタグ９０の先端部が一方の可撓アーム２０における中腹部２０Ａに乗り上がる。
【００２５】
この状態でＩＣタグ９０を押し込むと、その先端部が可撓アーム２０の中腹部２０Ａに案内されて、図７（Ａ）に示すように、長辺側タグ係止壁１３と可撓アーム２０との間に入り込む。ここで、仮にＩＣタグ９０の先端部が可撓アーム２０から前側に離れて押し込まれても、長辺側タグ係止壁１３に形成された端部面取斜面１３Ａ（図４参照）に案内されて長辺側タグ係止壁１３と可撓アーム２０との間に入り込む。
【００２６】
ＩＣタグ９０を更に押し込むと、その先端部が一方の可撓アーム２０を曲げ変形させながらその可撓アーム２０の頂点部２０Ｃと長辺側タグ係止壁１３との間を通過する。そして、ＩＣタグ９０は、長辺側タグ係止壁１３に案内されて他方の可撓アーム２０に向かう。このとき、ＩＣタグ９０の先端側は長辺側タグ係止壁１３に沿った直線形状になり、後端側がタグ挿入スリット１２に保持されて撓んだ状態になる。
【００２７】
この状態でＩＣタグ９０を更に押し込むと、ＩＣタグ９０の先端部が他方の可撓アーム２０における先端側の中腹部２０Ｂに摺接してその可撓アーム２０を曲げ変形させる。また、ＩＣタグ９０の先端部が他方の可撓アーム２０の頂点部２０Ｃと長辺側タグ係止壁１３との間を通過し、ＩＣタグ９０の後端部がタグ挿入スリット１２を通過すると、ＩＣタグ９０が弾性復元して平坦になる。そして、両可撓アーム２０，２０の弾発力によってＩＣタグ９０がタグ収容枠１１の前側に付勢され、ＩＣタグ９０の長辺部分の縁部がタグ収容枠１１の長辺側タグ係止壁１３，１３に押し付けられると共に、ＩＣタグ９０の短辺部分の縁部がタグ収容枠１１の短辺側タグ係止壁１４，１４に押し付けられる。また、ＩＣタグ９０の後端部はタグ挿入スリット１２より前方にずれて、タグ挿入スリット１２からの離脱が防がれる。以上でＩＣタグ９０のＩＣタグホルダ１０への装着が完了する。
【００２８】
このように、本実施形態のＩＣタグホルダ１０では、ＩＣタグ９０をタグ収容枠１１に挿入する際に、可撓アーム２０がＩＣタグ９０を案内するので、ＩＣタグ９０の装着作業を容易に行うことができる。また、ＩＣタグホルダ１０にＩＣタグ９０が保持されると、ＩＣタグ９０の前面においては、長辺側タグ係止壁１３及び短辺側タグ係止壁１４がＩＣタグ９０の縁部のみに当接する一方、ＩＣタグ９０の後面においては、可撓アーム２０の頂点部２０ＣがＩＣタグ９０に部分的に当接した状態になるので、従来のＩＣタグホルダのようにＩＣタグの後面全体に密着するものに比べて、ＩＣタグへの密着部分を減らすことができ、無線性能への影響を従来より低減させることが可能になる。
【００２９】
また、可撓アーム２０の弾発力によってＩＣタグ９０を長辺側タグ係止壁１３及び短辺側タグ係止壁１４に押し付けているので、ガタ防止が図られる。さらに、可撓アーム２０が振動を吸収して、ＩＣタグ９０に伝わる振動を低減させることができる。また、本実施形態の可撓アーム２０は、１対の梁部材２１，２１の先端部間を先端連絡部材２２で連絡した構造になっているので、ＩＣタグ９０のうち可撓アーム２０との当接部分をＩＣタグ９０の挿入方向と直交する方向（即ち、タグ収容枠１１の縦方向Ｙ）で分散させることができ、ＩＣタグ９０の保持が安定する。その上、本実施形態のＩＣタグホルダ１０では、可撓アーム２０が連絡壁１５から延びた構造になっているので、可撓アーム２０の曲げ変形のみならず、連絡壁１５の捻れ変形によっても可撓アーム２０におけるＩＣタグ９０との当接部分の位置を前後方向Ｚで変化させることができ、可撓アーム２０におけるＩＣタグ９０との当接部分の可動範囲を大きくすることができる。これにより、比較的薄いＩＣタグ９０から比較的厚いＩＣタグ９０まで対応することができる。
【００３０】
［第２実施形態］
本実施形態のＩＣタグホルダ１０Ｖは、図８及び図９に示されており、第１実施形態のＩＣタグホルダ１０に対して係止爪１６，１６を排除し、タグ収容枠１１の上面に係止爪２３（本発明の「取付部」に相当する）を備えた点が異なる。即ち、本実施形態のＩＣタグホルダ１０Ｖでは、タグ収容枠１１の上辺を構成する長辺構成壁１１Ｌにスリットを形成することで、その長辺構成壁１１Ｌの一部を横方向Ｘに延びた片持ち梁２３Ｃとして切り離し、その片持ち梁２３Ｃの先端から上方に係止突部２３Ｔを突出形成して係止爪２３が構成されている。また、係止爪２３の係止突部２３Ｔのうち横方向Ｘにおける一方側の面は、長辺構成壁１１Ｌの外面から徐々に上方に立ち上がった傾斜面２３Ａになっており、他方側の面は、長辺構成壁１１Ｌの上面と直交した係止面２３Ｂになっている。そして、その傾斜面２３Ａがタグ収容枠１１のうちタグ挿入スリット１２を有する側を向いている。
【００３１】
一方、ＩＣタグホルダ１０Ｖが取り付けられる管理対象物８０Ｖ（パレット、コンテナ等）の壁面８０Ｈには、ホルダ装着部８８が形成されている。このホルダ装着部８８は、平行になって横方向Ｘに延びた１対のホルダ取付壁８５，８５と、それらホルダ取付壁８５，８５の一端部間に連絡された終端壁８７とで構成されている。各ホルダ取付壁８５は、管理対象物８０Ｖの壁面８０Ｈから直立した起立壁８５Ｘと、その先端から直角内側に折り曲げられた前面壁８５Ｙとからなり、断面がＬ字形になっている。また、一方のホルダ取付壁８５の起立壁８５Ｘには、ＩＣタグホルダ１０Ｖに係止爪２３に対応して係止孔８６が貫通形成されている。
【００３２】
ＩＣタグホルダ１０Ｖは、図８に示すように、タグ挿入スリット１２を有した側を先頭にして、ホルダ装着部８８の両ホルダ取付壁８５，８５間に挿入される。その過程で係止爪２３の傾斜面２３Ａがホルダ取付壁８５の端部に摺接して係止爪２３が弾性変形する。そして、ＩＣタグホルダ１０Ｖがホルダ装着部８８の奥部まで押し込まれると、図９に示すように、係止突部２３Ｔが係止孔８６内に突入して係止爪２３が弾性復元する。これにより、係止突部２３Ｔの係止面２３Ｂが係止孔８６の内面に係止し、ＩＣタグホルダ１０Ｖがホルダ装着部８８内に抜け止めされる。また、ＩＣタグホルダ１０Ｖがホルダ取付壁８５，８５の間に取り付けられると、タグ挿入スリット１２が管理対象物８０Ｖの終端壁８７によって塞がれる。
【００３３】
［他の実施形態］
本発明は、実施形態に限定されるものではなく、例えば、以下に説明するような実施形態も本発明の技術的範囲に含まれ、さらに、下記以外にも要旨を逸脱しない範囲内で種々変更して実施することができる。
【００３４】
（１）本発明に係るＩＣタグホルダは、接着剤によって管理対象物に固定してもよい。この場合、接着剤によって管理対象物に取り付けられた部分が本発明に係るＩＣタグホルダの「取付部」になる。
【００３５】
（２）前記第１及び第２の実施形態では、タグ収容枠１１に対して可撓アーム２０は対をなして設けられていたが、可撓アームをタグ収容枠に１つ又は３つ以上設けた構造にしてもよい。
【００３６】
（３）前記第１及び第２の実施形態では、可撓アーム２０が連絡壁１５に一体形成されていたが、例えば、前記第１実施形態のタグ収容枠１１における短辺構成壁１１Ｓに可撓アーム２０を一体形成してもよい。
【００３７】
（４）前記第１実施形態のＩＣタグホルダ１０は、タグ収容枠１１のうち可撓アーム２０を備えた後面を管理対象物（例えば、パレット８０）の側面に対向配置して取り付けられていたが、タグ収容枠１１の前面を管理対象物の側面に対向配置して取り付けてもよい。即ち、例えば、第１実施形態のＩＣタグホルダ１０において、係止爪１６，１６をタグ収容枠１１の前面から前方に突出させた構造にしてもよい。
【図面の簡単な説明】
【００３８】
【図１】本発明の第１実施形態に係るＩＣタグ及びＩＣタグホルダの斜視図
【図２】ＩＣタグホルダにＩＣタグを挿入する過程の斜視図
【図３】ＩＣタグを保持した状態のＩＣタグホルダの斜視図
【図４】ＩＣタグホルダの平断面図
【図５】ＩＣタグホルダの側面図
【図６】管理対象物としてのパレットの斜視図
【図７】パレットに取り付けられたＩＣタグホルダの平断面図
【図８】第２実施形態のＩＣタグホルダ及びホルダ装着部の斜視図
【図９】ホルダ装着部に装着されたＩＣタグホルダの斜視図
【図１０】従来のＩＣタグホルダの斜視図
【符号の説明】
【００３９】
１０，１０Ｖ    タグホルダ
１１    タグ収容枠
１２    タグ挿入スリット
１３    各長辺側タグ係止壁
１３    長辺側タグ係止壁（タグ係止壁）
１４    短辺側タグ係止壁（タグ係止壁）
１５    連絡壁
１６，２３  係止爪（取付部）
２０    可撓アーム
２０Ａ    中腹部（タグ案内部）
２０Ｂ    中腹部（タグ案内部）
２０Ｃ    頂点部
２１，２１    梁部材
２２    先端連絡部材
８０    パレット（管理対象物）
８０Ｖ    管理対象物
９０    ＩＣタグ
【図１】
2008287301.tif 000003
【図２】
2008287301.tif 000004
【図３】
2008287301.tif 000005
【図４】
2008287301.tif 000006
【図５】
2008287301.tif 000007
【図６】
2008287301.tif 000008
【図７】
2008287301.tif 000009
【図８】
2008287301.tif 000010
【図９】
2008287301.tif 000011
【図１０】
2008287301.tif 000012